(57)【要約】  本発明は、情報を伝送するための方法および通信デバイスを提供する。方法は、符号ブロックに含まれる有効情報ビットの数Mおよび極性符号エンコーダの有効入力ポートの数Lに従って、パディングビットの数Nを決定することであって、MおよびLが正の整数であり、NがLとMとの間の差分である、決定することと、極性符号エンコーダに入力されるべき入力ビットを決定することであって、入力ビットがM個の有効情報ビットおよびN個のパディングビットを含む、決定することと、L個の有効入力ポートと入力ビットとの間のマッピング関係に従って、符号化ビットを取得するために、L個の有効入力ポートを介して極性符号エンコーダに入力ビットを入力してコーディングを実施することと、符号化ビットを伝送することとを含む。このようにして、符号ブロックに含まれる有効情報ビットの数が極性符号エンコーダの有効入力ポートの数よりも少ないとき、極性符号を使用することによりビットパディング方式でのコーディングの実施に成功することができ、それにより、情報伝送の成功が保証される。
2018512784.tif 000002
【特許請求の範囲】
【請求項１】
情報を伝送するための方法であって、
符号ブロックに備えられる有効情報ビットの数Mおよび極性符号エンコーダの有効入力ポートの数Lに従って、パディングビットの数Nを決定するステップであって、MおよびLが正の整数であり、NがLとMとの間の差分である、ステップと、
前記極性符号エンコーダに入力されるべき入力ビットを決定するステップであって、前記入力ビットが前記M個の有効情報ビットおよび前記N個のパディングビットを備える、ステップと、
前記L個の有効入力ポートと前記入力ビットとの間のマッピング関係に従って、符号化ビットを取得するために、前記L個の有効入力ポートを介して前記極性符号エンコーダに前記入力ビットを入力してコーディングを実施するステップと、
符号化ビットを伝送するステップと
を備える、方法。
【請求項２】
前記マッピング関係が、前記M個の有効情報ビットを伝送するために使用される有効入力ポートに対応する合成チャネルの品質が、前記N個のパディングビットを伝送するために使用される有効入力ポートに対応する合成チャネルの品質よりも良いという規則に従って決定される、請求項1に記載の方法。
【請求項３】
前記マッピング関係が、有効入力ポートの第1のグループが前記M個の有効情報ビットを伝送するために使用され、有効入力ポートの第2のグループが前記N個のパディングビットを伝送するために使用されることであり、
有効入力ポートの前記第1のグループおよび有効入力ポートの前記第2のグループが、前記L個の有効入力ポート内の有効入力ポートに対応する合成チャネルの品質に応じて決定され、有効入力ポートの前記第1のグループ内の有効入力ポートに対応する合成チャネルの品質が、有効入力ポートの前記第2のグループ内の有効入力ポートに対応する合成チャネルの品質よりも良い、
請求項1または2に記載の方法。
【請求項４】
前記マッピング関係が、対応する合成チャネルの品質に応じて前記L個の有効入力ポートをソートした結果に従って決定される、請求項1または2に記載の方法。
【請求項５】
前記マッピング関係が、それらの合成チャネルが有効入力ポートシーケンス内で最良の品質を有するM個の有効入力ポートが、前記入力ビット内の前記M個の有効情報ビットを伝送するために使用されることであり、前記有効入力ポートシーケンスが、前記対応する合成チャネルの前記品質に応じて前記L個の有効入力ポートをソートすることによって作成される、請求項4に記載の方法。
【請求項６】
前記L個の有効入力ポート内の有効入力ポートに対応する前記合成チャネルの前記品質が、以下のパラメータ：チャネル容量、チャネル信頼度、ビット誤り率、およびブロック誤り率のうちの少なくとも1つによって表される、請求項2から5のいずれか一項に記載の方法。
【請求項７】
情報を伝送するための通信デバイスであって、
符号ブロックに備えられる有効情報ビットの数Mおよび極性符号エンコーダの有効入力ポートの数Lに従って、パディングビットの数Nを決定するように構成された決定モジュールであって、MおよびLが正の整数であり、NがLとMとの間の差分であり、
前記決定モジュールが、前記極性符号エンコーダに入力されるべき入力ビットを決定するようにさらに構成され、前記入力ビットが前記M個の有効情報ビットおよび前記N個のパディングビットを備える、
決定モジュールと、
前記L個の有効入力ポートと前記入力ビットとの間のマッピング関係に従って、符号化ビットを取得するために、前記L個の有効入力ポートを介して前記極性符号エンコーダに前記入力ビットを入力してコーディングを実施するように構成された情報送信モジュールと
を備え、
前記情報送信モジュールが、前記符号化ビットを伝送するようにさらに構成される、
通信デバイス。
【請求項８】
前記マッピング関係が、前記M個の有効情報ビットを伝送するために使用される有効入力ポートに対応する合成チャネルの品質が、前記N個のパディングビットを伝送するために使用される有効入力ポートに対応する合成チャネルの品質よりも良いという規則に従って決定される、請求項7に記載の通信デバイス。
【請求項９】
前記マッピング関係が、有効入力ポートの第1のグループが前記M個の有効情報ビットを伝送するために使用され、有効入力ポートの第2のグループが前記N個のパディングビットを伝送するために使用されることであり、
有効入力ポートの前記第1のグループおよび有効入力ポートの前記第2のグループが、前記L個の有効入力ポート内の有効入力ポートに対応する合成チャネルの品質に応じて決定され、有効入力ポートの前記第1のグループ内の有効入力ポートに対応する合成チャネルの品質が、有効入力ポートの前記第2のグループ内の有効入力ポートに対応する合成チャネルの品質よりも良い、
請求項7または8に記載の通信デバイス。
【請求項１０】
前記マッピング関係が、対応する合成チャネルの品質に応じて前記L個の有効入力ポートをソートした結果に従って決定される、請求項7または8に記載の通信デバイス。
【請求項１１】
前記マッピング関係が、それらの合成チャネルが有効入力ポートシーケンス内で最良の品質を有するM個の有効入力ポートが、前記入力ビット内の前記M個の有効情報ビットを伝送するために使用されることであり、前記有効入力ポートシーケンスが、前記対応する合成チャネルの前記品質に応じて前記L個の有効入力ポートをソートすることによって作成される、請求項10に記載の通信デバイス。
【請求項１２】
前記L個の有効入力ポート内の有効入力ポートに対応する前記合成チャネルの前記品質が、以下のパラメータ：チャネル容量、チャネル信頼度、ビット誤り率、およびブロック誤り率のうちの少なくとも1つによって表される、請求項8から11のいずれか一項に記載の通信デバイス。
【発明の詳細な説明】
【技術分野】
【０００１】
本発明は通信分野に関し、より詳細には、情報を伝送するための方法および通信デバイスに関する。
【背景技術】
【０００２】
極性符号（Polar Code）は、近年注目度が増しているコーディング技術である。極性符号は合成チャネルを構築し、元のチャネルの特徴を変化させ、その結果、合成チャネルの容量は、高い極性または低い極性に極めて近くなる。したがって、このコーディング技術は、「極性符号」と呼ばれる。この特徴のせいで、適切なコーディング設計がされると、極性符号は、ランダムに分散された元のチャネルに適用可能であり、様々なチャネル実装において良好な性能に達し、チャネル容量に近づく。加えて、干渉除去復号を用いると、極性符号は、受信機の複雑度を大幅に低減し、受信機の実装を容易にすることができる。
【０００３】
既存の極性符号エンコーダは、通常、固定されたコーディング構造、固定された数の有効入力ビット、および固定された数の有効出力ビットを使用する。理論的には、極性符号エンコーダの構造が決定されると、極性符号エンコーダの入力ビットの数（または入力ビットの長さ）が決定される。しかしながら、極性符号エンコーダの各入力ポートは異なる合成チャネルの状態に対応し、不十分な状態にあるポートを使用して有効データを伝送することは不適切なので、極性符号エンコーダの入力ビットは、有効データビットおよび凍結ビットにさらに分類される。凍結ビットは、合成チャネルの入力ポートであり、不十分な状態にある入力ポートに対応し、受信端に知られている固定ビット、たとえば、すべてゼロであり、復号時に受信機を助ける事前情報として働く場合がある。
【発明の概要】
【０００４】
実装時にハードウェア加速器を使用するために、極性符号エンコーダは、通常、内部構造を使用することによって凍結ビットを実装し、極性符号エンコーダの外部入力は固定長の有効入力ビットである。実際の適用例では、伝送される必要があるデータブロックのサイズは固定されておらず、通常、極性符号エンコーダの有効入力ビットの数に等しくない。データブロックが比較的大きいとき、セグメント化されたコーディングが実施される場合がある。しかしながら、符号ブロックの有効情報ビットの数が極性符号エンコーダの有効入力ポートの数よりも少ないとき、コーディングは、極性符号を使用することによって実施することができない。結果として、符号ブロックは、極性符号を使用することによって伝送することができない。
【課題を解決するための手段】
【０００５】
本発明は、情報を伝送するための方法および通信デバイスを提供する。提供される方法および通信デバイスを用いて、伝送されるべき符号ブロックに含まれる有効情報ビットの数が極性符号エンコーダの有効入力ポートの数よりも少ないとき、極性符号を使用することによりコーディングの実装に成功することができ、それにより、有効情報ビットの伝送が完了する。
【０００６】
第1の態様によれば、情報を伝送するための方法が提供され、符号ブロックに含まれる有効情報ビットの数Mおよび極性符号エンコーダの有効入力ポートの数Lに従って、パディングビットの数Nを決定することであって、MおよびLが正の整数であり、NがLとMとの間の差分である、決定することと、極性符号エンコーダに入力されるべき入力ビットを決定することであって、入力ビットがM個の有効情報ビットおよびN個のパディングビットを含む、決定することと、L個の有効入力ポートと入力ビットとの間のマッピング関係に従って、符号化ビットを取得するために、L個の有効入力ポートを介して極性符号エンコーダに入力ビットを入力してコーディングを実施することと、符号化ビットを伝送することとを含む。
【０００７】
第1の態様を参照して、第1の態様の第1の可能な実装方式では、マッピング関係は、M個の有効情報ビットを伝送するために使用される有効入力ポートに対応する合成チャネルの品質が、N個のパディングビットを伝送するために使用される有効入力ポートに対応する合成チャネルの品質よりも良いという規則に従って決定される。
【０００８】
第1の態様または第1の態様の第1の可能な実装方式を参照して、第1の態様の第2の可能な実装方式では、マッピング関係は、有効入力ポートの第1のグループがM個の有効情報ビットを伝送するために使用され、有効入力ポートの第2のグループがN個のパディングビットを伝送するために使用されることであり、
有効入力ポートの第1のグループおよび有効入力ポートの第2のグループは、L個の有効入力ポート内の有効入力ポートに対応する合成チャネルの品質に応じて決定され、有効入力ポートの第1のグループ内の有効入力ポートに対応する合成チャネルの品質は、有効入力ポートの第2のグループ内の有効入力ポートに対応する合成チャネルの品質よりも良い。
【０００９】
第1の態様または第1の態様の第1の可能な実装方式を参照して、第1の態様の第3の可能な実装方式では、マッピング関係は、対応する合成チャネルの品質に応じてL個の有効入力ポートをソートした結果に従って決定される。
【００１０】
第1の態様の第3の可能な実装方式を参照して、第1の態様の第4の可能な実装方式では、マッピング関係は、それらの合成チャネルが有効入力ポートシーケンス内で最良の品質を有するM個の有効入力ポートが、入力ビット内のM個の有効情報ビットを伝送するために使用されることであり、有効入力ポートシーケンスは、対応する合成チャネルの品質に応じてL個の有効入力ポートをソートすることによって作成される。
【００１１】
第1の態様の第1から第4の可能な実装方式のうちのいずれか1つを参照して、第1の態様の第5の可能な実装方式では、L個の有効入力ポート内の有効入力ポートに対応する合成チャネルの品質は、以下のパラメータ：チャネル容量、チャネル信頼度、ビット誤り率、およびブロック誤り率のうちの少なくとも1つによって表される。
【００１２】
第2の態様によれば、情報を伝送するための通信デバイスが提供され、符号ブロックに含まれる有効情報ビットの数Mおよび極性符号エンコーダの有効入力ポートの数Lに従って、パディングビットの数Nを決定するように構成された決定モジュールであって、MおよびLが正の整数であり、NがLとMとの間の差分であり、決定モジュールが、極性符号エンコーダに入力されるべき入力ビットを決定するようにさらに構成され、入力ビットがM個の有効情報ビットおよびN個のパディングビットを含む、決定モジュールと、L個の有効入力ポートと入力ビットとの間のマッピング関係に従って、符号化ビットを取得するために、L個の有効入力ポートを介して極性符号エンコーダに入力ビットを入力してコーディングを実施することと、符号化ビットを伝送することとを行うように構成された情報送信モジュールとを含む。
【００１３】
第2の態様を参照して、第2の態様の第1の可能な実装方式では、マッピング関係は、M個の有効情報ビットを伝送するために使用される有効入力ポートに対応する合成チャネルの品質が、N個のパディングビットを伝送するために使用される有効入力ポートに対応する合成チャネルの品質よりも良いという規則に従って決定される。
【００１４】
第2の態様または第2の態様の第1の可能な実装方式を参照して、第2の態様の第2の可能な実装方式では、マッピング関係は、有効入力ポートの第1のグループがM個の有効情報ビットを伝送するために使用され、有効入力ポートの第2のグループがN個のパディングビットを伝送するために使用されることであり、
有効入力ポートの第1のグループおよび有効入力ポートの第2のグループは、L個の有効入力ポート内の有効入力ポートに対応する合成チャネルの品質に応じて決定され、有効入力ポートの第1のグループ内の有効入力ポートに対応する合成チャネルの品質は、有効入力ポートの第2のグループ内の有効入力ポートに対応する合成チャネルの品質よりも良い。
【００１５】
第2の態様または第2の態様の第1の可能な実装方式を参照して、第2の態様の第3の可能な実装方式では、マッピング関係は、対応する合成チャネルの品質に応じてL個の有効入力ポートをソートした結果に従って決定される。
【００１６】
第2の態様の第3の可能な実装方式を参照して、第2の態様の第4の可能な実装方式では、マッピング関係は、それらの合成チャネルが有効入力ポートシーケンス内で最良の品質を有するM個の有効入力ポートが、入力ビット内のM個の有効情報ビットを伝送するために使用されることであり、有効入力ポートシーケンスは、対応する合成チャネルの品質に応じてL個の有効入力ポートをソートすることによって作成される。
【００１７】
第2の態様の第1から第4の可能な実装方式のうちのいずれか1つを参照して、第2の態様の第5の可能な実装方式では、L個の有効入力ポート内の有効入力ポートに対応する合成チャネルの品質は、以下のパラメータ：チャネル容量、チャネル信頼度、ビット誤り率、およびブロック誤り率のうちの少なくとも1つによって表される。
【００１８】
前述の技術的な特徴に基づいて、本発明の実施形態において提供される情報を伝送するための方法および通信デバイスによれば、パディングビットの数Nは、符号ブロックに含まれる有効情報ビットの数Mおよび極性符号エンコーダの有効入力ポートの数Lに従って決定され、入力ビットはM個の有効情報ビットおよびN個のパディングビットを含み、有効入力ポートと入力ビットとの間のマッピング関係に従って、入力ビットは、符号化ビットを取得するために、極性符号エンコーダに入力されてコーディングを実施し、符号化ビットが伝送される。このようにして、符号ブロックに含まれる有効情報ビットの数が極性符号エンコーダの有効入力ポートの数よりも少ないとき、極性符号を使用することによりビットパディング方式でのコーディングの実施に成功し、それにより、有効情報ビットの伝送が完了する。
【００１９】
本発明の実施形態における技術的解決策をより明確に記載するために、以下で、実施形態または従来技術を記載するために必要とされる添付図面を簡単に記載する。明らかに、以下の説明における添付図面は本発明のいくつかの実施形態を示すにすぎず、当業者は、創造的な努力なしに、これらの添付図面から他の図面をさらに導出することができる。
【図面の簡単な説明】
【００２０】
【図１】本明細書に記載される実施形態による、ワイヤレス通信システムを示す図である。
【図２】ワイヤレス通信環境において、本発明の情報を伝送するための方法に適用可能なシステムの概略ブロック図である。
【図３】本発明の一実施形態による、極性符号エンコーダの構造の概略ブロック図である。
【図４】本発明の一実施形態による、情報を伝送するための方法の概略フローチャートである。
【図５】本発明の別の実施形態による、情報を伝送するための方法の概略フローチャートである。
【図６】本発明の一実施形態による、極性符号エンコーダの入力ポートシーケンスの概略図である。
【図７】本発明の一実施形態による、通信デバイスの概略ブロック図である。
【図８】本発明の別の実施形態による、通信デバイスの概略ブロック図である。
【発明を実施するための形態】
【００２１】
以下で、本発明の実施形態における添付図面を参照して、本発明の実施形態における技術的解決策を明確かつ完全に記載する。明らかに、記載される実施形態は、本発明の実施形態のうちのいくつかであるが、すべてではない。創造的な努力なしに本発明の実施形態に基づいて、当業者によって取得されるすべての他の実施形態は、本発明の保護範囲内に入るべきである。
【００２２】
本発明の技術的解決策は、基地局とユーザ機器（User Equipment、略して「UE」）との間の情報伝送の態様に適用される場合があるか、またはワイヤレスローカルエリアネットワーク（Wireless Local Area Networks、略して「WLAN」）におけるサイト（アクセスポイントは特殊なサイトである）間の情報伝送の態様に適用される場合があることを理解されたい。
【００２３】
基地局は、GSM（登録商標）もしくはCDMAにおけるトランシーバ基地局（Base Transceiver Station、略して「BTS」）であり得るか、または、WCDMA（登録商標）におけるノードB（NodeB、略して「NB」）であり得るか、または、LTEにおける発展型ノードB（Evolutional Node B、略して「ENBもしくはe−NodeB」）、中継局、アクセスポイント、将来の5Gネットワークにおける基地局デバイスなどであり得る。本発明はそれに限定されない。
【００２４】
ユーザ機器は、端末機器（Terminal Equipment）、移動局（Mobile Station、略して「MS」）、モバイル端末（Mobile Terminal）などと呼ばれる場合がある。ユーザ機器は、無線アクセスネットワーク（Radio Access Network、略して「RAN」）を介して1つまたは複数のコアネットワークと通信する場合がある。たとえば、ユーザ機器は、（「セルラー」フォンとも呼ばれる）モバイルフォンまたはモバイル端末付きコンピュータであり得る。たとえば、ユーザ機器は、無線アクセスネットワークと音声および／またはデータを交換する、ポータブル、ポケットサイズ、ハンドヘルド、コンピュータ内蔵、または車載のモバイル装置であり得る。
【００２５】
図1は、本明細書に記載される実施形態による、ワイヤレス通信システム100を示す。システム100は基地局102を含み、基地局102は複数のアンテナグループを含む場合がある。たとえば、1つのアンテナグループはアンテナ104および106を含む場合があり、別のアンテナグループはアンテナ108および110を含む場合があり、さらなるグループはアンテナ112および114を含む場合がある。各アンテナグループ内で2つのアンテナが示されるが、各グループ内で、多いかまたは少ないアンテナが使用される場合がある。基地局102は、送信機チェーンおよび受信機チェーンをさらに含む場合がある。送信機チェーンと受信機チェーンの両方は、信号の送信および受信に関係する複数の構成要素（たとえば、プロセッサ、変調器、マルチプレクサ、復調器、デマルチプレクサ、およびアンテナ）を含む場合があることを、当業者なら理解されよう。
【００２６】
基地局102は、1つまたは複数のアクセス端末（たとえば、アクセス端末116およびアクセス端末122）と通信する場合がある。しかしながら、基地局102は、アクセス端末116または122と同様の任意の数のアクセス端末と通信する場合があることを理解されたい。たとえば、アクセス端末116および122は、セルラーフォン、スマートフォン、ポータブルコンピュータ、ハンドヘルド通信デバイス、ハンドヘルドコンピューティングデバイス、衛星無線装置、全地球測位システム、PDA、および／または、ワイヤレス通信システム100において通信するように構成された任意の他の適切なデバイスであり得る。図に示されたように、アクセス端末116は、アンテナ112および114と通信する。アンテナ112および114は、順方向リンク118を使用することによりアクセス端末116に情報を送信し、逆方向リンク120を使用することによりアクセス端末116から情報を受信する。加えて、アクセス端末122は、アンテナ104および106と通信する。アンテナ104および106は、順方向リンク124を使用することによりアクセス端末122に情報を送信し、逆方向リンク126を使用することによりアクセス端末122から情報を受信する。たとえば、周波数分割複信（Frequency Division Duplex、略して「FDD」）システムでは、順方向リンク118は、逆方向リンク120によって使用される周波数帯域とは異なる周波数帯域を使用する場合があり、順方向リンク124は、逆方向リンク126によって使用される周波数帯域とは異なる周波数帯域を使用する場合がある。加えて、時分割複信（Time Division Duplex、略して「TDD」）システムでは、順方向リンク118および逆方向リンク120は同じ周波数帯域を使用する場合があり、順方向リンク124および逆方向リンク126は同じ周波数帯域を使用する場合がある。
【００２７】
通信用に設計された各アンテナグループおよび／または各エリアは、基地局102の1つまたは複数のセクタと呼ばれる。たとえば、アンテナグループは、基地局102のカバレージエリア内のセクタにおいてアクセス端末と通信するように設計される場合がある。順方向リンク118および124を使用することによって実施される通信では、基地局102の送信アンテナは、ビームフォーミングを用いて、アクセス端末116および122にそれぞれ固有の順方向リンク118および124の信号対ノイズ比を改善することができる。加えて、基地局が、単一のアンテナを使用することにより、基地局によってサービスされるすべてのアクセス端末に情報を送信することと比較して、基地局102が、ビームフォーミングを用いて、関連するカバレージエリア内でランダムに散らばるアクセス端末116および122に情報を送信するとき、隣接セル内のモバイルデバイスに引き起こされる干渉は小さい。
【００２８】
与えられた時間内で、基地局102、アクセス端末116、および／またはアクセス端末122は、ワイヤレス通信送信装置および／またはワイヤレス通信受信装置であり得る。データを送信するとき、ワイヤレス通信送信装置は、伝送用にデータを符号化することができる。具体的には、ワイヤレス通信送信装置は、チャネルを使用することにより、ワイヤレス通信受信装置に送信される必要がある特定の数の情報ビットを有する（たとえば、作成する、取得する、またはメモリに保存する）場合がある。情報ビットは、データのトランスポートブロック（または複数のトランスポートブロック）に含まれる場合があり、情報ビットは、複数の符号ブロックを作成するためにセグメント化される場合がある。加えて、ワイヤレス通信送信装置は、データ伝送の信頼性を改善するために、極性符号エンコーダ（図示せず）を使用することにより各符号ブロックを符号化することができ、それにより通信品質がさらに保証される。
【００２９】
図2は、ワイヤレス通信環境において、本発明の情報を伝送するための方法に適用可能なシステム200の概略ブロック図を示す。システム200はワイヤレス通信デバイス202を含み、ワイヤレス通信デバイス202がチャネルを介してデータを送信することが示される。データ送信のみが示されているが、ワイヤレス通信デバイス202は、チャネルを介してデータをさらに受信する場合がある（たとえば、ワイヤレス通信デバイス202は同時にデータを送信および受信する場合があり、ワイヤレス通信デバイス202は異なる時間にデータを送信および受信する場合があり、またはそれらの組合せが使用される）。たとえば、ワイヤレス通信デバイス202は、基地局（たとえば、図1に示された基地局102）、アクセス端末（たとえば、図1に示されたアクセス端末116または図1に示されたアクセス端末122）などであり得る。
【００３０】
ワイヤレス通信デバイス202は、極性符号エンコーダ204と、レートマッチング装置205と、送信機206とを含む場合がある。場合によっては、ワイヤレス通信デバイス202がチャネルを介してデータを受信するとき、ワイヤレス通信デバイス202は受信機をさらに含む場合があり、受信機は独立して存在する場合があるか、または送信機206と統合されてトランシーバを形成する場合がある。
【００３１】
極性符号エンコーダ204は、コーディング後に極性符号を取得するために、ワイヤレス通信デバイス202から転送される必要があるデータを符号化するように構成される。
【００３２】
本発明のこの実施形態では、極性符号エンコーダ204は、有効入力ポートを使用することにより入力ビットを受信し、入力ビットを符号化して符号化ビットを取得するように構成される。
【００３３】
加えて、送信機206は、チャネル上で、レートマッチング装置205によって処理された、レートマッチングされた出力ビットをその後転送する場合がある。たとえば、送信機206は、別の異なるワイヤレス通信装置（図示せず）に関連データを送信する場合がある。
【００３４】
図3は、本発明の一実施形態による、極性符号エンコーダの構造の概略ブロック図を示す。図3に示されたように、uiは極性符号エンコーダのi番目の入力ビットを表し、viは1段目の加算演算および置換演算の後に取得されたi番目のビットを表し、xiは2段目の加算演算の後に取得されたi番目のビットを表し、yiは極性符号エンコーダのi番目の出力ビットを表す。Wは基本チャネルを表し、W2はそのサイズが2である合成チャネルを表し、W4はそのサイズが4である合成チャネルを表し、R4はそのサイズが4であるバタフライ置換を表す。
【００３５】
図3は本発明のこの実施形態の極性符号エンコーダの典型的な構造を示すにすぎないが、本発明はそれに限定されないことに留意されたい。
【００３６】
図4は、本発明の一実施形態による、情報を伝送するための方法の概略フローチャートを示す。図4に示された方法は、通信デバイスによって実行される場合がある。図4に示されたように、方法1000は以下のステップを含む。
【００３７】
S1100．符号ブロックに含まれる有効情報ビットの数Mおよび極性符号エンコーダの有効入力ポートの数Lに従って、パディングビットの数Nを決定し、MおよびLは正の整数であり、NはLとMとの間の差分である。
【００３８】
S1200．極性符号エンコーダに入力されるべき入力ビットを決定し、入力ビットはM個の有効情報ビットおよびN個のパディングビットを含む。
【００３９】
S1300．L個の有効入力ポートと入力ビットとの間のマッピング関係に従って、符号化ビットを取得するために、L個の有効入力ポートを介して極性符号エンコーダに入力ビットを入力してコーディングを実施する。
【００４０】
S1400．符号化ビットを伝送する。
【００４１】
具体的には、通信デバイスは、符号ブロックに含まれる有効情報ビットの数Mおよび極性符号エンコーダの有効入力ポートの数Lに従って、パディングビットの数NがLとMとの間の差分であることを決定する。通信デバイスは、極性符号エンコーダに入力されるべき入力ビットがM個の有効情報ビットおよびN個のパディングビットを含むことを決定し、L個の有効入力ポートと入力ビットとの間のマッピング関係に従って、符号化ビットを取得するために、L個の有効入力ポートを介して極性符号エンコーダに入力ビットを入力してコーディングを実施し、符号化ビットを伝送する。
【００４２】
したがって、本発明のこの実施形態における情報を伝送するための方法では、通信デバイスは、符号ブロックに含まれる有効情報ビットの数Mおよび極性符号エンコーダの有効入力ポートの数Lに従って、パディングビットの数Nを決定し、極性符号エンコーダに入力されるべき入力ビットが、M個の有効情報ビットおよびN個のパディングビットを含むことを決定し、有効入力ポートと入力ビットとの間のマッピング関係に従って、符号化ビットを取得するために、極性符号エンコーダに入力ビットを入力してコーディングを実施し、符号化ビットを伝送する。このようにして、符号ブロックに含まれる有効情報ビットの数が極性符号エンコーダの有効入力ポートの数よりも少ないとき、極性符号を使用することによりビットパディング方式でのコーディングの実施に成功し、それにより、有効情報ビットの伝送が完了する。
【００４３】
本発明のこの実施形態では、伝送される必要があるデータブロックが比較的大きいとき、データブロックに対応する有効情報ビットは、コーディング用にセグメント化される場合があることを理解されたい。各符号ブロックに対応する有効情報ビットの数は、極性符号エンコーダの有効入力ポートの数よりも少ないかまたはそれに等しい。データブロックは従来技術における符号ブロックセグメント化方式でチャンクされる場合があるか、または別の方式でチャンクされる場合があり、本発明はそれに限定されない。
【００４４】
本発明のこの実施形態では、場合によっては、マッピング関係は通信デバイスによって別々に決定される場合があるか、または別の通信デバイス（たとえば、基地局）によって決定され、次いで通信デバイスに送信される場合があり、本発明はそれに限定されない。
【００４５】
本発明のこの実施形態では、場合によっては、通信デバイスは、コーディング前に毎回特定の規則に従ってマッピング関係を再決定する場合があるか、または通信デバイスは、1つもしくは複数のマッピング関係をあらかじめ記憶し、コーディング前に毎回テーブルを探索することにより、もしくは別の可能な方式で、使用するために対応するマッピング関係を選択する場合があり、本発明はそれに限定されない。
【００４６】
本発明のこの実施形態では、パディングビットが符号化され伝送されるが、パディングビットは有用な情報を含まず、パディングビットが復号される場合でも役に立たないことをさらに理解されたい。したがって、実際には、パディングビットの復号エラーはシステムのコーディング性能に影響を及ぼさない。
【００４７】
本発明のこの実施形態では、場合によっては、パディングビットの値は「0」または別の値に設定される場合があり、パディングビットの値は各製造業者によって別々に設定される場合がある。本発明はそれに限定されない。
【００４８】
場合によっては、S1300において、L個の有効入力ポートと入力ビットとの間のマッピング関係は、ランダムな対応関係の場合があり、すなわち、S1300において、N個のパディングビットは、極性符号エンコーダの有効入力ポート内の任意のN個の有効入力ポートを使用することにより、極性符号エンコーダに入力される場合がある。本発明はそれに限定されない。
【００４９】
本発明のこの実施形態では、場合によっては、マッピング関係は、M個の有効情報ビットを伝送するために使用される有効入力ポートに対応する合成チャネルの品質が、N個のパディングビットを伝送するために使用される有効入力ポートに対応する合成チャネルの品質よりも良いという規則に従って決定される場合がある。
【００５０】
本発明のこの実施形態では、場合によっては、マッピング関係は、有効入力ポートの第1のグループがM個の有効情報ビットを伝送するために使用され、有効入力ポートの第2のグループがN個のパディングビットを伝送するために使用されることである。
【００５１】
有効入力ポートの第1のグループおよび有効入力ポートの第2のグループは、L個の有効入力ポート内の有効入力ポートに対応する合成チャネルの品質に応じて決定され、有効入力ポートの第1のグループ内の有効入力ポートに対応する合成チャネルの品質は、有効入力ポートの第2のグループ内の有効入力ポートに対応する合成チャネルの品質よりも良い。
【００５２】
具体的には、極性符号エンコーダが5つの有効入力ポートを有し、入力ポートに対応するシリアル番号がそれぞれ、U7、U9、U10、U15、およびU16であり、ポートU7、U15、およびU16に対応する合成チャネルの品質が、ポートU9およびU10に対応する合成チャネルの品質よりも良いと仮定する。したがって、5つの有効入力ポートは2つのグループに分類され、有効入力ポートの第1のグループは、3つの有効情報ビットを伝送するためのポートU7、U15、およびU16を含み、有効入力ポートの第2のグループは、2つのパディングビットを伝送するための2つのポートU9およびU10を含む。入力プロセスでは、3つの有効情報ビットが第1の入力であり得る。入力シーケンスによれば、3つの有効情報ビットは、それぞれ、ポートU7、U15、およびU16に対応する場合があるか、またはそれぞれ、U15、U7、およびU16に対応する場合があるか、または別のマッピング関係を有する場合がある。3つの有効情報ビットのすべてが入力された後、2つのパディングビットが入力される。入力シーケンスによれば、2つのパディングビットは、それぞれ、ポートU9およびU10、またはU10およびU9に対応する場合がある。代替として、2つのパディングビットは第1の入力であり得るし、3つの有効情報ビットが後で入力され、本発明はそれに限定されない。
【００５３】
好ましくは、有効入力ポートの第1のグループ内の各ポートは、対応する合成チャネルの品質に応じてソートされる場合があり、たとえば、合成チャネルの品質の降順に従ってソートされて、第1の有効入力ポートシーケンスを取得する場合がある。その後、第1の有効入力ポートシーケンス内の有効入力ポートとM個の有効情報ビット内の有効情報ビットとの間のマッピング関係は、以下の通りである：第1の有効入力ポートシーケンス内のi番目の有効入力ポートが、M個の有効情報ビット内の極性符号エンコーダに入力されるべきi番目の有効情報ビットを伝送するために使用され、iは1、2、3．．．またはMである。
【００５４】
具体的には、有効入力ポートの第1のグループがポートU7、U15、およびU16を含むことが一例として使用される。ポートU16に対応する合成チャネルの品質がポートU7に対応する合成チャネルの品質よりも良く、ポートU7に対応する合成チャネルの品質がポートU15に対応する合成チャネルの品質よりも良く、3つの有効入力ポートが、対応する合成チャネルの品質の降順に従って、U16、U7、およびU15の順番にソートされると仮定する。この場合、有効入力ポートと3つの有効情報ビットとの間のマッピング関係は以下の通りである：ポートU16が極性符号エンコーダに入力されるべき1番目の有効情報ビットを伝送するために使用され、ポートU7が極性符号エンコーダに入力されるべき2番目の有効情報ビットを伝送するために使用され、ポートU15が極性符号エンコーダに入力されるべき2番目の有効情報ビットを伝送するために使用される。
【００５５】
本発明のこの実施形態では、場合によっては、マッピング関係は、対応する合成チャネルの品質に応じてL個の有効入力ポートをソートした結果に従って決定される。
【００５６】
具体的には、L個の有効入力ポートは、有効入力ポートに対応する合成チャネルの品質の降順に従ってソートされる場合があり、L個の有効入力ポートは、有効入力ポートに対応する合成チャネルの品質の昇順に従ってソートされる場合があり、またはL個の有効入力ポートは、別のソーティング規則に従ってソートされる場合があり、本発明はそれに限定されない。
【００５７】
本発明のこの実施形態では、場合によっては、マッピング関係は、それらの合成チャネルが有効入力ポートシーケンス内で最良の品質を有するM個の有効情報ビットが、入力ビット内のM個の有効情報ビットを伝送するために使用されることである。有効入力ポートシーケンスは、対応する合成チャネルの品質に応じてL個の有効入力ポートをソートすることによって作成される。
【００５８】
具体的には、有効入力ポートシーケンスは、対応する合成チャネルの品質の降順に従って、L個の有効入力ポートをソートすることによって作成され、有効入力ポートシーケンス内の有効入力ポートと入力ビットとの間のマッピング関係は以下の通りである：有効入力ポートシーケンス内の1番目からM番目の有効入力ポートが、入力ビット内のM個の有効情報ビットを伝送するために使用される。
【００５９】
代替として、有効入力ポートシーケンスは、対応する合成チャネルの品質の昇順に従って、L個の有効入力ポートをソートすることによって作成され、有効入力ポートシーケンス内の有効入力ポートと入力ビットとの間のマッピング関係は以下の通りである：有効入力ポートシーケンス内の（n＋1）番目からL番目の有効入力ポートが、入力ビット内のM個の有効情報ビットを伝送するために使用される。
【００６０】
具体的には、3つの有効情報ビットが伝送される必要があり、極性符号エンコーダが5つの有効入力ポートを有し、入力ポートに対応するシリアル番号がそれぞれ、U7、U9、U10、U15、およびU16であり、対応する合成チャネルの品質の降順に従ってソーティングが実施されると仮定する。取得された有効入力ポートシーケンスは、U7、U15、U16、U9、およびU10である。したがって、ポートU7、U15、およびU16が、3つのポート有効情報ビットを伝送するために使用される場合があり、3つの有効情報ビットは、それぞれ、ポートU7、U15、およびU16に対応する場合があるか、またはそれぞれ、U15、U7、およびU16に対応する場合があるか、または入力シーケンスに従う別のマッピング関係を有する場合がある。他のポートは、2つのパディングビットを伝送するために使用される場合があり、パディングビットと残りのポートとの間のマッピング関係は、本発明では限定されない。
【００６１】
対応する合成チャネルの品質の昇順に従ってソーティングが実施された場合、取得された有効入力ポートシーケンスは、U10、U9、U16、U15、およびU7である。したがって、ポートU7、U15、およびU16が、3つのポート有効情報ビットを伝送するために使用される場合があり、3つの有効情報ビットは、それぞれ、ポートU7、U15、およびU16に対応する場合があるか、またはそれぞれ、U15、U7、およびU16に対応する場合があるか、または入力シーケンスに従う別のマッピング関係を有する場合がある。他のポートは、2つのパディングビットを伝送するために使用される場合があり、パディングビットと残りのポートとの間のマッピング関係は、本発明では限定されない。
【００６２】
したがって、本発明のこの実施形態における情報を伝送するための方法では、通信デバイスは、符号ブロックに含まれる有効情報ビットの数Mおよび極性符号エンコーダの有効入力ポートの数Lに従って、パディングビットの数Nを決定し、入力ビットがM個の有効情報ビットおよびN個のパディングビットを含むことを決定し、有効入力ポートと入力ビットとの間のマッピング関係に従って、符号化ビットを取得するために、極性符号エンコーダに入力ビットを入力してコーディングを実施し、符号化ビットを伝送する。このようにして、符号ブロックに含まれる有効情報ビットの数が極性符号エンコーダの有効入力ポートの数よりも少ないとき、ビットパディングを実施することができる。加えて、有効入力ポートと入力ビットとの間のマッピング関係を使用することにより、パディングビットは、それらの合成チャネルがより不十分な品質を有するポートを使用することによって伝送することができ、有効情報ビットは、それらの合成チャネルがより良い品質を有するポートを使用することによって伝送することができる。結果として、極性符号の性能を十分に利用することにより、比較的良いコーディング性能を取得することができ、それにより、情報伝送の品質が改善される。
【００６３】
本発明のこの実施形態では、場合によっては、有効入力ポートは別の条件に従ってソートされる場合があり、次いで、有効入力ポートと有効入力ビットまたはパディングビットとの間のマッピング関係が決定され、本発明はそれに限定されない。
【００６４】
本発明のこの実施形態では、場合によっては、L個の有効入力ポート内の有効入力ポートに対応する合成チャネルの品質は、以下のパラメータ：チャネル容量、チャネル信頼度、ビット誤り率、およびブロック誤り率のうちの少なくとも1つによって表される。すなわち、有効入力ポートに対応する合成チャネルの品質は、チャネル容量、チャネル信頼度、ビット誤り率、およびブロック誤り率のうちの1つのパラメータの値を計算することによって決定される場合があるか、または有効入力ポートに対応する合成チャネルの品質は、これらのパラメータの中のいくつかのパラメータの重み付けされた組合せの値を計算することによって決定される場合がある。しかしながら、本発明はそれに限定されない。
【００６５】
図5は、本発明の別の実施形態による、情報を伝送するための方法の概略フローチャートである。図5に示されたように、方法2000は以下のステップを含む。
【００６６】
S2001．パディングビットの数を決定する。
【００６７】
具体的には、伝送されるべき有効情報ビットの数が4であり、図6に示された極性符号エンコーダが16個の入力ポートを有し、16個の入力ポートが6つの有効ビット入力ポート（図においてレ点でマークされたポート）および10個の凍結ビット入力ポート（図において×印でマークされたポート）に分類されると仮定する。この場合、パディングビットの数は2つである。10個の凍結ビット入力ポートは、受信端に知られているビット（たとえば、すべてゼロ）を直接入力し、これは、ハードウェアの内部構造を使用することによって実装される場合がある。6つの有効ビット入力ポートに対応するポートシリアル番号は、それぞれ、U7、U11、U12、U13、U14、およびU15である。
【００６８】
S2002．有効入力ポートのあらかじめ設定されたソーティング規則が、誤り確率の昇順に従ってソーティングを実施することであると決定する。
【００６９】
S2003．あらかじめ設定されたソーティング規則に従って、入力ビットシーケンス内のパディングビットの位置を決定する。
【００７０】
具体的には、入力ビットシーケンス内のビット位置が、初めから終わりまで、それぞれ、位置b0、b1、b2、b3、b4、およびb5と呼ばれると仮定する。この場合、2つのパディングビットは、入力ビットシーケンス内の位置b4およびb5に対応する。
【００７１】
S2004．有効入力ポートの誤り確率を計算し、あらかじめ設定されたソーティング規則に従って有効入力ポートをソートする。
【００７２】
具体的には、S2001における6つの有効入力ポートの誤り確率は、U7：0．100113、U11：0．036636、U12：0．227524、U13：0．014664、U14：0．007797、およびU15：0．000015，であり、誤り確率の昇順に従って、有効入力ポートは、各々以下のようにソートされる：U15、U14、U13、U11、U7、およびU12。
【００７３】
S2005．有効入力ポートと、ソーティング規則に従った入力ビットシーケンス内のビット位置との間のマッピング関係を決定する。
【００７４】
具体的には、決定されたマッピング関係は、ポートU15、U14、U13、U11、U7、およびU12が、それぞれ、位置b0、b1、b2、b3、b4、およびb5に対応することである。すなわち、極性符号エンコーダに入力されるべき1番目から6番目の情報ビットは、それぞれ、ポートU15、U14、U13、U11、U7、およびU12を使用することにより、極性符号エンコーダに入力される
【００７５】
場合によっては、S2005において、ポートU15、U14、U13、およびU11は、それぞれ、位置b0、b1、b2、およびb3に対応し、位置b4はU7またはU12に対応する。それに対応して、位置b5はU12またはU7に対応する。
【００７６】
したがって、本発明のこの実施形態における情報を伝送するための方法では、パディングビットの数Nは、符号ブロックに含まれる有効情報ビットの数Mおよび極性符号エンコーダの有効入力ポートの数Lに従って決定され、入力ビットは、M個の有効情報ビットおよびN個のパディングビットを含み、入力ビットは、有効入力ポートと入力ビットとの間のマッピング関係に従って、符号化ビットを取得するために、極性符号エンコーダに入力されてコーディングを実施し、符号化ビットが伝送される。このようにして、符号ブロックに含まれる有効情報ビットの数が極性符号エンコーダの有効入力ポートの数よりも少ないとき、ビットパディングを実施することができる。加えて、有効入力ポートと入力ビットとの間のマッピング関係を使用することにより、パディングビットは、それらの合成チャネルがより不十分な品質を有するポートを使用することによって伝送することができ、有効情報ビットは、それらの合成チャネルがより良い品質を有するポートを使用することによって伝送することができる。結果として、極性符号の性能を十分に利用することにより、比較的良いコーディング性能を取得することができ、それにより、情報伝送の品質が改善される。
【００７７】
上記では、本発明のこの実施形態における情報を伝送するための方法が、図4〜図6を参照して詳細に記載され、以下では、本発明のこの実施形態における情報を伝送するための通信デバイスが、図7〜図8を参照して詳細に記載される。
【００７８】
図7は、本発明の一実施形態による、情報を伝送するための通信デバイスを示す。図7に示されたように、通信デバイス10は、
符号ブロックに含まれる有効情報ビットの数Mおよび極性符号エンコーダの有効入力ポートの数Lに従って、パディングビットの数Nを決定するように構成された決定モジュール11であって、MおよびLが正の整数であり、NがLとMとの間の差分であり、
決定モジュール11が、極性符号エンコーダに入力されるべき入力ビットを決定するようにさらに構成され、入力ビットがM個の有効情報ビットおよびN個のパディングビットを含む、
決定モジュール11と、
L個の有効入力ポートと入力ビットとの間のマッピング関係に従って、符号化ビットを取得するために、L個の有効入力ポートを介して極性符号エンコーダに入力ビットを入力してコーディングを実施するように構成された情報送信モジュール12と
を含み、
情報送信モジュール12は、符号化ビットを伝送するようにさらに構成される。
【００７９】
具体的には、通信デバイスは、符号ブロックに含まれる有効情報ビットの数Mおよび極性符号エンコーダの有効入力ポートの数Lに従って、パディングビットの数NがLとMとの間の差分であることを決定する。通信デバイスは、極性符号エンコーダに入力されるべき入力ビットがM個の有効情報ビットおよびN個のパディングビットを含むことを決定し、L個の有効入力ポートと入力ビットとの間のマッピング関係に従って、符号化ビットを取得するために、L個の有効入力ポートを介して極性符号エンコーダに入力ビットを入力してコーディングを実施し、符号化ビットを伝送する。
【００８０】
したがって、本発明のこの実施形態における情報を伝送するための通信デバイスは、符号ブロックに含まれる有効情報ビットの数Mおよび極性符号エンコーダの有効入力ポートの数Lに従って、パディングビットの数Nを決定し、極性符号エンコーダに入力されるべき入力ビットが、M個の有効情報ビットおよびN個のパディングビットを含むことを決定し、有効入力ポートと入力ビットとの間のマッピング関係に従って、符号化ビットを取得するために、極性符号エンコーダに入力ビットを入力してコーディングを実施する。このようにして、符号ブロックに含まれる有効情報ビットの数が極性符号エンコーダの有効入力ポートの数よりも少ないとき、極性符号を使用することによりビットパディング方式でのコーディングの実施に成功し、それにより、有効情報ビットの伝送が完了する。
【００８１】
本発明のこの実施形態では、場合によっては、通信デバイスは、基地局、ユーザ機器、またはWLANデバイスであり得るが、本発明はそれに限定されない。
【００８２】
本発明のこの実施形態では、場合によっては、マッピング関係は、M個の有効情報ビットを伝送するために使用される有効入力ポートに対応する合成チャネルの品質が、N個のパディングビットを伝送するために使用される有効入力ポートに対応する合成チャネルの品質よりも良いという規則に従って決定される。
【００８３】
本発明のこの実施形態では、場合によっては、マッピング関係は、有効入力ポートの第1のグループがM個の有効情報ビットを伝送するために使用され、有効入力ポートの第2のグループがN個のパディングビットを伝送するために使用されることである。
【００８４】
有効入力ポートの第1のグループおよび有効入力ポートの第2のグループは、L個の有効入力ポート内の有効入力ポートに対応する合成チャネルの品質に応じて決定され、有効入力ポートの第1のグループ内の有効入力ポートに対応する合成チャネルの品質は、有効入力ポートの第2のグループ内の有効入力ポートに対応する合成チャネルの品質よりも良い。
【００８５】
本発明のこの実施形態では、場合によっては、マッピング関係は、対応する合成チャネルの品質に応じてL個の有効入力ポートをソートした結果に従って決定される。
【００８６】
本発明のこの実施形態では、場合によっては、マッピング関係は、それらの合成チャネルが有効入力ポートシーケンス内で最良の品質を有するM個の有効情報ビットが、入力ビット内のM個の有効情報ビットを伝送するために使用されることである。有効入力ポートシーケンスは、対応する合成チャネルの品質に応じてL個の有効入力ポートをソートすることによって作成される。
【００８７】
本発明のこの実施形態では、場合によっては、L個の有効入力ポート内の有効入力ポートに対応する合成チャネルの品質は、以下のパラメータ：チャネル容量、チャネル信頼度、ビット誤り率、およびブロック誤り率のうちの少なくとも1つによって表される。
【００８８】
本発明のこの実施形態による通信デバイス10は、本発明の実施形態における情報を伝送するための方法1000を対応的に実行することができ、通信デバイス10のモジュールの前述および他の動作および／または機能は、図4の対応する手順を実装するために使用されることを理解されたい。簡略にするために、本明細書では詳細は記載されない。
【００８９】
したがって、本発明のこの実施形態における情報を伝送するための通信デバイスは、符号ブロックに含まれる有効情報ビットの数Mおよび極性符号エンコーダの有効入力ポートの数Lに従って、パディングビットの数Nを決定し、入力ビットがM個の有効情報ビットおよびN個のパディングビットを含むことを決定し、有効入力ポートと入力ビットとの間のマッピング関係に従って、符号化ビットを取得するために、極性符号エンコーダに入力ビットを入力してコーディングを実施し、符号化ビットを伝送する。このようにして、符号ブロックに含まれる有効情報ビットの数が極性符号エンコーダの有効入力ポートの数よりも少ないとき、ビットパディングを実施することができる。加えて、有効入力ポートと入力ビットとの間のマッピング関係を使用することにより、パディングビットは、それらの合成チャネルがより不十分な品質を有するポートを使用することによって伝送することができ、有効情報ビットは、それらの合成チャネルがより良い品質を有するポートを使用することによって伝送することができる。結果として、極性符号の性能を十分に利用することにより、比較的良いコーディング性能を取得することができ、それにより、情報伝送の品質が改善される。
【００９０】
図8に示されたように、本発明の一実施形態は通信デバイス20をさらに提供し、通信デバイス20は、プロセッサ21と、メモリ22と、送信機23と、バスシステム24とを含む。プロセッサ21、メモリ22、および送信機23は、バスシステム24を使用することによって接続され、メモリ22は命令を記憶するように構成され、プロセッサ21は、送信機23を制御して信号を伝送するために、メモリ22に記憶された命令を実行するように構成される。プロセッサ21は、符号ブロックに含まれる有効情報ビットの数Mおよび極性符号エンコーダの有効入力ポートの数Lに従って、パディングビットの数Nを決定するように構成され、MおよびLは正の整数であり、NはLとMとの間の差分である。プロセッサ21は、極性符号エンコーダに入力されるべき入力ビットを決定するようにさらに構成され、入力ビットは、M個の有効情報ビットおよびN個のパディングビットを含む。送信機23は、L個の有効入力ポートと入力ビットとの間のマッピング関係に従って、符号化ビットを取得するために、L個の有効入力ポートを介して極性符号エンコーダに入力ビットを入力してコーディングを実施するように構成され、送信機23は、符号化ビットを伝送するようにさらに構成される。
【００９１】
したがって、本発明のこの実施形態における情報を伝送するための通信デバイスは、符号ブロックに含まれる有効情報ビットの数Mおよび極性符号エンコーダの有効入力ポートの数Lに従って、パディングビットの数Nを決定し、極性符号エンコーダに入力されるべき入力ビットが、M個の有効情報ビットおよびN個のパディングビットを含むことを決定し、有効入力ポートと入力ビットとの間のマッピング関係に従って、符号化ビットを取得するために、極性符号エンコーダに入力ビットを入力してコーディングを実施し、符号化ビットを伝送する。このようにして、符号ブロックに含まれる有効情報ビットの数が極性符号エンコーダの有効入力ポートの数よりも少ないとき、極性符号を使用することによりビットパディング方式でのコーディングの実施に成功し、それにより、有効情報ビットの伝送が完了する。
【００９２】
本発明のこの実施形態では、プロセッサ21は中央処理装置（Central Processing Unit、略して「CPU」）であり得るか、またはプロセッサ21は、別の汎用プロセッサ、デジタル信号プロセッサ（DSP）、特定用途向け集積回路（ASIC）、フィールドプログラマブルゲートアレイ（FPGA）もしくは別のプログラマブル論理デバイス、個別ゲートもしくはトランジスタ論理デバイス、個別ハードウェア構成要素などであり得ることを理解されたい。汎用プロセッサはマクロプロセッサであり得るか、またはプロセッサは任意の従来のプロセッサなどであり得る。
【００９３】
メモリ22は、読取り専用メモリおよびランダムアクセスメモリを含み、プロセッサ21に命令およびデータを供給することができる。メモリ22の一部は、不揮発性ランダムアクセスメモリをさらに含む場合がある。たとえば、メモリ22は、デバイスタイプについての情報をさらに記憶する場合がある。
【００９４】
データバスに加えて、バスシステム24は、電力バス、制御バス、状態信号バスなどを含む場合がある。しかしながら、説明を明確にするために、図において、様々なバスはバスシステム24として示される。
【００９５】
一実装プロセスでは、前述の方法のステップは、プロセッサ21内のハードウェアの集積論理回路、またはソフトウェアの形態の命令を使用することによって完了される場合がある。本発明の実施形態を参照して開示された方法のステップは、ハードウェアプロセッサによって直接実行および完了される場合があるか、またはプロセッサ内のハードウェアとソフトウェアモジュールの組合せを使用することによって実行および完了される場合がある。ソフトウェアモジュールは、当技術分野の成熟記憶媒体、たとえば、ランダムアクセスメモリ、フラッシュメモリ、読取り専用メモリ、プログラマブル読取り専用メモリ、電気的消去可能プログラマブルメモリ、またはレジスタ内に位置する場合がある。記憶媒体はメモリ22内に位置する。プロセッサ21は、メモリ22内の情報を読み取り、プロセッサ21のハードウェアと組み合わされて前述の方法のステップを完了する。繰り返しを避けるために、本明細書では詳細は記載されない。
【００９６】
場合によっては、一実施形態では、マッピング関係は、M個の有効情報ビットを伝送するために使用される有効入力ポートに対応する合成チャネルの品質が、N個のパディングビットを伝送するために使用される有効入力ポートに対応する合成チャネルの品質よりも良いという規則に従って決定される。
【００９７】
場合によっては、一実施形態では、マッピング関係は、有効入力ポートの第1のグループがM個の有効情報ビットを伝送するために使用され、有効入力ポートの第2のグループがN個のパディングビットを伝送するために使用されることである。
【００９８】
有効入力ポートの第1のグループおよび有効入力ポートの第2のグループは、L個の有効入力ポート内の有効入力ポートに対応する合成チャネルの品質に応じて決定され、有効入力ポートの第1のグループ内の有効入力ポートに対応する合成チャネルの品質は、有効入力ポートの第2のグループ内の有効入力ポートに対応する合成チャネルの品質よりも良い。
【００９９】
場合によっては、一実施形態では、マッピング関係は、対応する合成チャネルの品質に応じてL個の有効入力ポートをソートした結果に従って決定される。
【０１００】
場合によっては、一実施形態では、マッピング関係は、それらの合成チャネルが有効入力ポートシーケンス内で最良の品質を有するM個の有効情報ビットが、入力ビット内のM個の有効情報ビットを伝送するために使用されることである。有効入力ポートシーケンスは、対応する合成チャネルの品質に応じてL個の有効入力ポートをソートすることによって作成される。
【０１０１】
場合によっては、一実施形態では、L個の有効入力ポート内の有効入力ポートに対応する合成チャネルの品質は、以下のパラメータ：チャネル容量、チャネル信頼度、ビット誤り率、およびブロック誤り率のうちの少なくとも1つによって表される。
【０１０２】
本発明のこの実施形態における通信デバイス20は、本発明の実施形態における通信デバイス10に対応する場合があるか、または本発明の実施形態における方法を実行する対応エンティティに対応する場合があり、通信デバイス20のモジュールの前述および他の動作および／または機能は、図4の方法の対応する手順を実装するために使用されることを理解されたい。簡略にするために、本明細書では詳細は記載されない。
【０１０３】
したがって、本発明のこの実施形態における情報を伝送するための通信デバイスは、符号ブロックに含まれる有効情報ビットの数Mおよび極性符号エンコーダの有効入力ポートの数Lに従って、パディングビットの数Nを決定し、入力ビットがM個の有効情報ビットおよびN個のパディングビットを含むことを決定し、有効入力ポートと入力ビットとの間のマッピング関係に従って、符号化ビットを取得するために、極性符号エンコーダに入力ビットを入力してコーディングを実施し、符号化ビットを伝送する。このようにして、符号ブロックに含まれる有効情報ビットの数が極性符号エンコーダの有効入力ポートの数よりも少ないとき、ビットパディングを実施することができる。加えて、有効入力ポートと入力ビットとの間のマッピング関係を使用することにより、パディングビットは、それらの合成チャネルがより不十分な品質を有するポートを使用することによって伝送することができ、有効情報ビットは、それらの合成チャネルがより良い品質を有するポートを使用することによって伝送することができる。結果として、極性符号の性能を十分に利用することにより、比較的良いコーディング性能を取得することができ、それにより、情報伝送の品質が改善される。
【０１０４】
本明細書全体を通して言及された「実施形態」は、実施形態に関係する特定の特性、構造、または特徴が本発明の少なくとも1つの実施形態に含まれることを意味することを理解されたい。したがって、本明細書全体を通して現れる「一実施形態では」は、必ずしも同じ実施形態を示すとは限らない。加えて、特定の特性、構造、または特徴は、1つまたは複数の実施形態において任意の適切な方式で組み合わされる場合がある。
【０１０５】
前述のプロセスのシーケンス番号は、本発明の様々な実施形態における実行シーケンスを意味しないことを理解されたい。プロセスの実行シーケンスは、プロセスの機能および内部ロジックに従って決定されるべきであり、本発明の実施形態の実装プロセスに対するいかなる制限とも解釈されるべきではない。
【０１０６】
加えて、「システム」および「ネットワーク」という用語は、本明細書において互換的に使用される場合がある。本明細書内の「および／または」という用語は、関連するオブジェクトを記述するための関連付け関係のみを記載し、3つの関係が存在する場合があることを表す。たとえば、Aおよび／またはBは、以下の3つのケースを表す場合がある：Aのみが存在する、AとBの両方が存在する、Bのみが存在する。加えて、本明細書内の文字「／」は、一般に、関連するオブジェクト間の「または」関係を表す。
【０１０７】
本出願の実施形態において、「Aに対応するB」は、BがAに関連付けられ、BがAに応じて決定される場合があることを示すことを理解されたい。しかしながら、Aに応じてBを決定することは、BがAのみに応じて決定されることを意味せず、BがAおよび／または他の情報に応じて決定される場合もあることをさらに理解されたい。
【０１０８】
本明細書で開示された実施形態において記載された例と組み合わせて、ユニットおよびアルゴリズムステップは、電子ハードウェア、コンピュータソフトウェア、またはそれらの組合せによって実装される場合があることを、当業者なら認識されよう。ハードウェアとソフトウェアとの間の互換性を明確に記載するために、前述の説明は、機能に従って各例の構成およびステップを全体的に記載している。機能がハードウェアによって実施されるか、またはソフトウェアによって実施されるかは、技術的解決策の特定の適用例および設計制約条件に依存する。当業者は、様々な方法を使用して、特定の適用例ごとに記載された機能を実装することができるが、その実装形態が本発明の範囲を超えると考えられるべきではない。
【０１０９】
便利で簡潔な説明のために、前述のシステム、装置、およびユニットの詳細な動作プロセスについて、前述の方法実施形態内の対応するプロセスに対して参照を行うことができ、詳細は記載されないことは、当業者なら明確に理解されよう。
【０１１０】
本出願において提供されたいくつかの実施形態では、開示されたシステム、装置、および方法は他の方式で実装される場合があることを理解されたい。たとえば、記載された装置実施形態は一例にすぎない。たとえば、ユニット分割は論理的な機能分割にすぎず、実際の実装形態では他の分割であり得る。たとえば、複数のユニットまたは構成要素は組み合わされるか、もしくは別のシステムに統合される場合があり、または、いくつかの特徴は無視されるか、もしくは実施されない場合がある加えて、表示または説明された相互結合または直接結合または通信接続は、いくつかのインターフェースを使用することによって実装される場合がある。装置間またはユニット間の間接結合または通信接続は、電気、機械、または他の形態で実装される場合がある。
【０１１１】
別々の部分として記載されたユニットは、物理的に分かれている場合も、分かれていない場合もあり、ユニットとして表示された部分は、物理ユニットである場合も、そうでない場合もあり、1つの場所に位置する場合があるか、または複数のネットワークユニット上に分散される場合がある。ユニットの一部またはすべては、本発明の実施形態の解決策の目的を達成するために、実際の必要に応じて選択される場合がある。
【０１１２】
加えて、本発明の実施形態における機能ユニットは、1つの処理ユニットに統合される場合があり、または、ユニットの各々は物理的に単独で存在する場合があり、または2つ以上のユニットが1つのユニットに統合される場合がある。
【０１１３】
統合ユニットがソフトウェア機能ユニットの形態で実装され、独立した製品として販売または使用されるとき、統合ユニットはコンピュータ可読記憶媒体に記憶される場合がある。そのような理解に基づいて、本発明の技術的解決策は本質的に、または従来技術に寄与する部分は、または技術的解決策のうちのいくつかは、ソフトウェア製品の形態で実装される場合がある。ソフトウェア製品は、記憶媒体に記憶され、本発明の実施形態に記載された方法のステップのすべてまたは一部を実施するように、（パーソナルコンピュータ、サーバ、またはネットワークデバイスであり得る）コンピュータデバイスに命令するためのいくつかの命令を含む。前述の記憶媒体には、USBフラッシュドライブ、リムーバブルハードディスク、読取り専用メモリ（Read−Only Memory、略して「ROM」）、ランダムアクセスメモリ（Random Access Memory、略して「RAM」）、磁気ディスク、または光ディスクなどの、プログラムコードを記憶することができる任意の媒体が含まれる。
【０１１４】
前述の説明は、本発明の特定の実装方式にすぎず、本発明の保護範囲を限定するものではない。本発明において開示された技術的範囲内で、当業者が容易に考え付くいかなる変形または置換も、本発明の保護範囲内に入るべきである。したがって、本発明の保護範囲は、特許請求の範囲の保護範囲に従うべきである。
【符号の説明】
【０１１５】
10  通信デバイス
11  決定モジュール
12  情報送信モジュール
20  通信デバイス
21  プロセッサ
22  メモリ
23  送信機
24  バスシステム
100  ワイヤレス通信システム
102  基地局
104  アンテナ
106  アンテナ
108  アンテナ
110  アンテナ
112  アンテナ
114  アンテナ
116  アクセス端末
118  順方向リンク
120  逆方向リンク
122  アクセス端末
124  順方向リンク
126  逆方向リンク
200  システム
202  ワイヤレス通信デバイス
204  極性符号エンコーダ
205  レートマッチング装置
206  送信機
1000  方法
2000  方法
【図１】
2018512784.tif 000003
【図２】
2018512784.tif 000004
【図３】
2018512784.tif 000005
【図４】
2018512784.tif 000006
【図５】
2018512784.tif 000007
【図６】
2018512784.tif 000008
【図７】
2018512784.tif 000009
【図８】
2018512784.tif 000010
【手続補正書】
【提出日】平成29年10月19日(2017.10.19)
【手続補正１】
【補正対象書類名】明細書
【補正対象項目名】００２２
【補正方法】変更
【補正の内容】
【００２２】
本発明の技術的解決策は、基地局とユーザ機器（User Equipment、略して「UE」）との間の情報伝送の態様に適用される場合があるか、またはワイヤレスローカルエリアネットワーク（wireless local area networks、略して「WLAN」）におけるサイト（アクセスポイントは特殊なサイトである）間の情報伝送の態様に適用される場合があることを理解されたい。
【手続補正２】
【補正対象書類名】明細書
【補正対象項目名】００２３
【補正方法】変更
【補正の内容】
【００２３】
基地局は、GSM（登録商標）もしくはCDMAにおけるトランシーバ基地局（Base Transceiver Station、略して「BTS」）であり得るか、または、WCDMA（登録商標）におけるノードB（NodeB、略して「NB」）であり得るか、または、LTEにおける発展型ノードB（Evolved Node B、略して「ENBもしくはe−NodeB」）、中継局、アクセスポイント、将来の5Gネットワークにおける基地局デバイスなどであり得る。本発明はそれに限定されない。
【手続補正３】
【補正対象書類名】明細書
【補正対象項目名】００５４
【補正方法】変更
【補正の内容】
【００５４】
具体的には、有効入力ポートの第1のグループがポートU7、U15、およびU16を含むことが一例として使用される。ポートU16に対応する合成チャネルの品質がポートU7に対応する合成チャネルの品質よりも良く、ポートU7に対応する合成チャネルの品質がポートU15に対応する合成チャネルの品質よりも良く、3つの有効入力ポートが、対応する合成チャネルの品質の降順に従って、U16、U7、およびU15の順番にソートされると仮定する。この場合、有効入力ポートと3つの有効情報ビットとの間のマッピング関係は以下の通りである：ポートU16が極性符号エンコーダに入力されるべき1番目の有効情報ビットを伝送するために使用され、ポートU7が極性符号エンコーダに入力されるべき2番目の有効情報ビットを伝送するために使用され、ポートU15が極性符号エンコーダに入力されるべき3番目の有効情報ビットを伝送するために使用される。
【手続補正４】
【補正対象書類名】特許請求の範囲
【補正対象項目名】全文
【補正方法】変更
【補正の内容】
【特許請求の範囲】
【請求項１】
情報を伝送するための方法であって、
符号ブロックに備えられる有効情報ビットの数Mおよび極性符号エンコーダの有効入力ポートの数Lに従って、パディングビットの数Nを決定するステップであって、MおよびLが正の整数であり、NがLとMとの間の差分である、ステップと、
前記極性符号エンコーダに入力されるべき入力ビットを決定するステップであって、前記入力ビットが前記M個の有効情報ビットおよび前記N個のパディングビットを備える、ステップと、
前記L個の有効入力ポートと前記入力ビットとの間のマッピング関係に従って、符号化ビットを取得するために、前記L個の有効入力ポートを介して前記極性符号エンコーダに前記入力ビットを入力してコーディングを実施するステップと、
符号化ビットを伝送するステップと
を備える、方法。
【請求項２】
前記マッピング関係が、前記M個の有効情報ビットを伝送するために使用される有効入力ポートに対応する合成チャネルの品質が、前記N個のパディングビットを伝送するために使用される有効入力ポートに対応する合成チャネルの品質よりも良いという規則に従って決定される、請求項1に記載の方法。
【請求項３】
前記マッピング関係が、有効入力ポートの第1のグループが前記M個の有効情報ビットを伝送するために使用され、有効入力ポートの第2のグループが前記N個のパディングビットを伝送するために使用されることであり、
有効入力ポートの前記第1のグループおよび有効入力ポートの前記第2のグループが、前記L個の有効入力ポート内の有効入力ポートに対応する合成チャネルの品質に応じて決定され、有効入力ポートの前記第1のグループ内の有効入力ポートに対応する合成チャネルの品質が、有効入力ポートの前記第2のグループ内の有効入力ポートに対応する合成チャネルの品質よりも良い、
請求項1または2に記載の方法。
【請求項４】
前記マッピング関係が、対応する合成チャネルの品質に応じて前記L個の有効入力ポートをソートした結果に従って決定される、請求項1または2に記載の方法。
【請求項５】
前記マッピング関係が、それらの合成チャネルが有効入力ポートシーケンス内で最良の品質を有するM個の有効入力ポートが、前記入力ビット内の前記M個の有効情報ビットを伝送するために使用されることであり、前記有効入力ポートシーケンスが、前記対応する合成チャネルの前記品質に応じて前記L個の有効入力ポートをソートすることによって作成される、請求項4に記載の方法。
【請求項６】
前記L個の有効入力ポート内の有効入力ポートに対応する前記合成チャネルの前記品質が、以下のパラメータ：チャネル容量、チャネル信頼度、ビット誤り率、およびブロック誤り率のうちの少なくとも1つによって表される、請求項2から5のいずれか一項に記載の方法。
【請求項７】
情報を伝送するための通信デバイスであって、
符号ブロックに備えられる有効情報ビットの数Mおよび極性符号エンコーダの有効入力ポートの数Lに従って、パディングビットの数Nを決定するように構成された決定モジュールであって、MおよびLが正の整数であり、NがLとMとの間の差分であり、
前記決定モジュールが、前記極性符号エンコーダに入力されるべき入力ビットを決定するようにさらに構成され、前記入力ビットが前記M個の有効情報ビットおよび前記N個のパディングビットを備える、
決定モジュールと、
前記L個の有効入力ポートと前記入力ビットとの間のマッピング関係に従って、符号化ビットを取得するために、前記L個の有効入力ポートを介して前記極性符号エンコーダに前記入力ビットを入力してコーディングを実施するように構成された情報送信モジュールと
を備え、
前記情報送信モジュールが、前記符号化ビットを伝送するようにさらに構成される、
通信デバイス。
【請求項８】
前記マッピング関係が、前記M個の有効情報ビットを伝送するために使用される有効入力ポートに対応する合成チャネルの品質が、前記N個のパディングビットを伝送するために使用される有効入力ポートに対応する合成チャネルの品質よりも良いという規則に従って決定される、請求項7に記載の通信デバイス。
【請求項９】
前記マッピング関係が、有効入力ポートの第1のグループが前記M個の有効情報ビットを伝送するために使用され、有効入力ポートの第2のグループが前記N個のパディングビットを伝送するために使用されることであり、
有効入力ポートの前記第1のグループおよび有効入力ポートの前記第2のグループが、前記L個の有効入力ポート内の有効入力ポートに対応する合成チャネルの品質に応じて決定され、有効入力ポートの前記第1のグループ内の有効入力ポートに対応する合成チャネルの品質が、有効入力ポートの前記第2のグループ内の有効入力ポートに対応する合成チャネルの品質よりも良い、
請求項7または8に記載の通信デバイス。
【請求項１０】
前記マッピング関係が、対応する合成チャネルの品質に応じて前記L個の有効入力ポートをソートした結果に従って決定される、請求項7または8に記載の通信デバイス。
【請求項１１】
前記マッピング関係が、それらの合成チャネルが有効入力ポートシーケンス内で最良の品質を有するM個の有効入力ポートが、前記入力ビット内の前記M個の有効情報ビットを伝送するために使用されることであり、前記有効入力ポートシーケンスが、前記対応する合成チャネルの前記品質に応じて前記L個の有効入力ポートをソートすることによって作成される、請求項10に記載の通信デバイス。
【請求項１２】
前記L個の有効入力ポート内の有効入力ポートに対応する前記合成チャネルの前記品質が、以下のパラメータ：チャネル容量、チャネル信頼度、ビット誤り率、およびブロック誤り率のうちの少なくとも1つによって表される、請求項8から11のいずれか一項に記載の通信デバイス。
【請求項１３】
情報を伝送するための通信デバイスであって、
プロセッサと、送信機と、前記プロセッサにアクセス可能なメモリストレージと
を備え、
前記プロセッサが、符号ブロックに備えられる有効情報ビットの数Mおよび極性符号エンコーダの有効入力ポートの数Lに従って、パディングビットの数Nを決定することであって、MおよびLが正の整数であり、NがLとMとの間の差分である、決定することと、前記極性符号エンコーダに入力されるべき入力ビットを決定することであって、前記入力ビットが前記M個の有効情報ビットおよび前記N個のパディングビットを備える、決定することとを行うように構成され、
前記送信機が、前記L個の有効入力ポートと前記入力ビットとの間のマッピング関係に従って、符号化ビットを取得するために、前記L個の有効入力ポートを介して前記極性符号エンコーダに前記入力ビットを入力してコーディングを実施することと、前記符号化ビットを伝送することとを行うように構成される、
通信デバイス。
【請求項１４】
前記マッピング関係が、前記M個の有効情報ビットを伝送するために使用される有効入力ポートに対応する合成チャネルの品質が、前記N個のパディングビットを伝送するために使用される有効入力ポートに対応する合成チャネルの品質よりも良いという規則に従って決定される、請求項13に記載の通信デバイス。
【請求項１５】
前記マッピング関係が、有効入力ポートの第1のグループが前記M個の有効情報ビットを伝送するために使用され、有効入力ポートの第2のグループが前記N個のパディングビットを伝送するために使用されることであり、
有効入力ポートの前記第1のグループおよび有効入力ポートの前記第2のグループが、前記L個の有効入力ポート内の有効入力ポートに対応する合成チャネルの品質に応じて決定され、有効入力ポートの前記第1のグループ内の有効入力ポートに対応する合成チャネルの品質が、有効入力ポートの前記第2のグループ内の有効入力ポートに対応する合成チャネルの品質よりも良い、
請求項13または14に記載の通信デバイス。
【請求項１６】
前記マッピング関係が、対応する合成チャネルの品質に応じて前記L個の有効入力ポートをソートした結果に従って決定される、請求項13または14に記載の通信デバイス。
【請求項１７】
前記マッピング関係が、それらの合成チャネルが有効入力ポートシーケンス内で最良の品質を有するM個の入力ポートが、前記入力ポート内の前記M個の有効情報ビットを伝送するために使用されることであり、前記有効入力ポートシーケンスが、前記対応する合成チャネルの前記品質に応じて前記L個の有効入力ポートをソートすることによって作成される、請求項16に記載の通信デバイス。
【請求項１８】
前記L個の有効入力ポート内の有効入力ポートに対応する前記合成チャネルの前記品質が、以下のパラメータ：チャネル容量、チャネル信頼度、ビット誤り率、およびブロック誤り率のうちの少なくとも1つによって表される、請求項14から17のいずれか一項に記載の通信デバイス。
【国際調査報告】
2018512784.tif 000011
2018512784.tif 000012
2018512784.tif 000013
2018512784.tif 000014